(57)【要約】【課題】  本発明は、原図データを記憶可能な監視情報ウェブサーバを提供する。【解決手段】  本発明に係る、機器を監視する監視装置から監視情報を収集すると共に、ウェブブラウザによって監視情報を表示する監視情報閲覧クライアントにネットワークを介して監視情報を提供する監視情報ウェブサーバ１０は、監視情報閲覧クライアントにウェブブラウザによって表示されるＨＴＭＬファイル及びこのＨＴＭＬファイルに用いられた画像データを作成するための元となった原図データを記憶するＳ側記憶部１２を備える。【選択図】      図２
2006092406.tif 000002
【特許請求の範囲】
【請求項１】
機器を監視する監視装置から監視情報を収集すると共に、ウェブブラウザによって前記監視情報を表示する監視情報閲覧クライアントにネットワークを介して前記監視情報を提供する監視情報ウェブサーバにおいて、
前記監視情報閲覧クライアントに前記ウェブブラウザによって表示されるＨＴＭＬファイル及び該ＨＴＭＬファイルに用いられた画像データを作成するための元となった原図データを記憶する記憶部を備えること
を特徴とする監視情報ウェブサーバ。
【請求項２】
前記原図データは、圧縮されていること
を特徴とする請求項１に記載の監視情報ウェブサーバ。
【発明の詳細な説明】
【技術分野】
【０００１】
本発明は、機器の監視情報を管理すると共に監視情報閲覧クライアントからの要求に応じて監視情報を提供する監視情報ウェブサーバに関する。
【背景技術】
【０００２】
戸建て住宅、集合住宅、庁舎、ホール、商業ビル、オフィスビル及び工場等の建物には、照明機器、空調機器、計測機器及び防犯機器等の様々な機器（負荷）が設置されている。近年では、通信技術等の進展により、これら機器は、有線又は無線の伝送路によって相互に通信可能に接続されることによってネットワーク化され、さらに監視制御装置がネットワークに接続され、監視制御装置によって集中的に監視及び／又は制御されるようになっている。そして、監視制御装置から監視情報を収集し監視情報を管理する監視情報ウェブサーバが監視制御装置に内蔵され、あるいは、ネットワークに設けられ、ウェブブラウザを備える監視情報閲覧クライアント（監視情報閲覧装置）から機器の監視情報が閲覧可能とされている（例えば、特許文献１参照）。
【０００３】
この監視情報閲覧クライアントにウェブブラウザによって表示される監視情報を示す監視ページは、監視ページに示される機器を表す記号（機器記号）と実際の現場における機器との対応が一目で認識可能とするために、機器記号の背景に現場の模式図が採用されて構成される場合がある。
【０００４】
このような監視ページを構成する現場の模式図の画像データは、現場の状況を表す設計図面等の原図を電子化した原図データから作成される。この原図データから画像データを作成する編集作成ソフトウェアは、現場の模式図の画像データが頻繁に変更されるものではないことからこのような現場の模式図の画像データを備える監視ページを記憶する監視情報ウェブサーバにとって頻繁に使用されるものではないこと、及び、監視情報ウェブサーバが監視制御装置に内蔵される場合には記憶容量に余裕がないこと等のために、監視情報ウェブサーバとは別体のコンピュータに組み込まれて使用される。
【０００５】
図７は、背景技術におけるページファイル作成システムの構成、監視制御システムの構成及び監視情報閲覧システムの構成を示す図である。図７において、ページファイル作成システム１００１は、監視情報ウェブサーバ１０１０とページファイル作成装置１０２０とを備えて構成され、これら監視情報ウェブサーバ１０１０とページファイル作成装置１０２０とは、ネットワーク４０を介して通信可能に接続される。また、監視情報閲覧システム１００２は、監視情報ウェブサーバ１０１０と監視情報閲覧クライアント３０とを備えて構成され、これら監視情報ウェブサーバ１０１０と監視情報閲覧クライアント３０とは、ネットワーク４０を介して通信可能に接続される。そして、監視制御システム１００３は、監視及び／又は制御の対象となる複数の機器７０（７０ａ、７０ｂ、７０ｃ、・・・）と、機器７０を監視及び／又は制御する監視制御装置６０とを備えて構成され、複数の機器７０と監視制御装置６０とは、ネットワーク８０を介して通信可能に接続される。さらに、監視制御装置６０は、ネットワーク４０を介して監視情報ウェブサーバ１０１０と通信可能に接続される。
【０００６】
ページファイル作成装置１０２０は、原図を電子化した原図データから現場の模式図の画像データを編集及び作成すると共に、現場の模式図の画像データを含み監視情報を示すための監視ページのＨＴＭＬファイル（監視ページＨＴＭＬファイル）、監視情報を提供するホームページ（トップページ）（監視情報提供ホームページ）のＨＴＭＬファイル（監視情報提供ホームページＨＴＭＬファイル）、監視情報閲覧クライアント３０の各種設定を行うための設定ページのＨＴＭＬファイル（設定ページＨＴＭＬファイル）及びネットワーク４０の各種設定を行うための管理ページのＨＴＭＬファイル（管理ページＨＴＭＬファイル）等を備えて構成される監視情報閲覧システム１００２の各ページのＨＴＭＬファイルを作成するための装置である。監視情報ウェブサーバ１０１０は、ページファイル作成装置１０２０で作成された監視情報閲覧システム１００２の各ページのＨＴＭＬファイルをネットワーク４０を介して取得して記憶し、監視制御装置６０から機器７０の監視情報を収集して管理し、そして、監視情報閲覧クライアント３０からの要求に応じて監視情報閲覧システム１００２の各ページのＨＴＭＬファイルを用いて監視情報を提供する。監視情報閲覧クライアント３０は、監視情報閲覧システム１００２の各ページのＨＴＭＬファイル及び監視情報をネットワーク４を介して提供を受けてウェブブラウザによって表示する。
【０００７】
このようなページファイル作成システム１００１では、ページファイル作成装置１０２０は、原図データから現場の模式図の画像データを作成してこの画像データを含む監視情報を示すための監視ページＨＴＭＬファイルを作成し、監視情報閲覧システム１００２の各ページを構成する他のＨＴＭＬファイルを作成し、監視情報閲覧システム１００２の各ページのＨＴＭＬファイルをネットワーク４０を介して監視情報ウェブサーバ１０１０に転送する。そして、監視情報閲覧システム１００２の各ページのＨＴＭＬファイルが監視情報ウェブサーバ１０１０に受信され、格納される。一方、原図データは、比較的大容量であるため、例えば、ＣＤ−Ｒ（Compact Disc Recordable）及びＤＶＤ−Ｒ（Digital Versatile Disc Recordable）等の記録媒体１０４０に記録されて記録媒体１０４０の形で監視情報ウェブサーバ１０１０のユーザに引き渡される。
【０００８】
なお、ウェブサーバがデータを圧縮して記憶し、このウェブサーバとクライアントとの間で相互に圧縮データを転送する汎用のデータ転送システムが例えば特許文献１に開示されている。
【特許文献１】特開２００４−２４０６３８号公報［００３２］段落
【発明の開示】
【発明が解決しようとする課題】
【０００９】
ところで、原図データは、記録媒体に記録されて記録媒体の形で保管されることになるため、紛失してしまう場合がある。特に、原図データは、増改築や機器の配置替え等の現場の状況が変更された場合において必要となることから、頻繁に必要となるデータではないため、紛失の危険性が高い。
【００１０】
また、上記特許文献１に記載のデータ転送システムは、ウェブサーバとクライアントとの間における通信時間の短縮化とウェブサーバのディスクの消費量削減とを目的に為された技術であり、圧縮データ及びこの圧縮データと対応関係にあるデータをウェブサーバに共に保存することは、記載も示唆もされていない。
【００１１】
本発明は、上述の事情に鑑みて為された発明であり、原図データを記憶可能な監視情報ウェブサーバを提供することを目的とする。
【課題を解決するための手段】
【００１２】
上述の目的を達成するために、本発明に係る、機器を監視する監視装置から監視情報を収集すると共に、ウェブブラウザによって前記監視情報を表示する監視情報閲覧クライアントにネットワークを介して前記監視情報を提供する監視情報ウェブサーバは、前記監視情報閲覧クライアントに前記ウェブブラウザによって表示されるＨＴＭＬファイル及び該ＨＴＭＬファイルに用いられた画像データを作成するための元となった原図データを記憶する記憶部を備えることを特徴とする。
【００１３】
そして、このような監視情報ウェブサーバにおいて、前記原図データは、圧縮されていることを特徴とする。
【発明の効果】
【００１４】
このような監視情報ウェブサーバは、監視情報閲覧クライアントにウェブブラウザによって表示されるＨＴＭＬファイル及びこのＨＴＭＬファイルに用いられた画像データを作成するための元となった原図データを記憶する記憶部を備える。このため、原図データは、この原図データから作成された画像データを含むＨＴＭＬファイルと共に保存され、また、このＨＴＭＬファイルを提供する監視情報ウェブサーバに記憶され、保存される。従って、原図データを紛失してしまうことがない。
【発明を実施するための最良の形態】
【００１５】
以下、本発明に係る実施形態を図面に基づいて説明する。なお、各図において同一の符号を付した構成は、同一の構成であることを示し、その説明を省略する。
（実施形態の構成）
図１は、実施形態におけるページファイル作成システムの構成、監視制御システムの構成及び監視情報閲覧システムの構成を示す図である。図２は、実施形態における監視情報ウェブサーバの構成及びメモリマップを示す図である。図２（Ａ）は、監視情報ウェブサーバの構成を示すブロック図であり、図２（Ｂ）は、メモリマップを示す。図３は、実施形態におけるページファイル作成装置の構成を示すブロック図である。
【００１６】
図１において、ページファイル作成システム１は、監視情報ウェブサーバ１０とページファイル作成装置２０とを備えて構成され、これら監視情報ウェブサーバ１０とページファイル作成装置２０とは、ネットワーク４０を介して通信可能に接続される。また、監視情報閲覧システム２は、監視情報ウェブサーバ１０と、監視情報閲覧システム２の各ページのＨＴＭＬファイル及び監視情報をネットワーク４０を介して提供を受けてウェブブラウザによって表示する監視情報閲覧クライアント３０とを備えて構成され、これら監視情報ウェブサーバ１０と監視情報閲覧クライアント３０とは、ネットワーク４０を介して通信可能に接続される。そして、監視制御システム１００３は、図７に示す背景技術に係る監視制御システム１００３と同様であるので、その説明を省略する。
【００１７】
監視情報ウェブサーバ１０は、ページファイル作成装置２で作成された監視情報閲覧システム２の各ページのＨＴＭＬファイル及び原図データをネットワーク４を介して取得して記憶し、監視制御装置６０から機器７０の監視情報を収集して管理し、そして、監視情報閲覧クライアント３０からの要求に応じて監視情報閲覧システム２の各ページのＨＴＭＬファイルを用いて監視情報を提供する。監視情報ウェブサーバ１０は、例えば、図２（Ａ）に示すように、サーバ側中央処理部（以下、「Ｓ側中央処理部」と略記する。）１１と、サーバ側記憶部（以下、「Ｓ側記憶部」と略記する。）１２と、サーバ側通信インタフェース部（以下、「Ｓ側通信インタフェース部」と略記する。）１３とを備えて構成される。
【００１８】
Ｓ側通信インタフェース部１３は、ネットワーク４０に接続され、このネットワーク４０を介してページファイル作成装置２０、監視情報閲覧クライアント３０及び監視制御装置６０との間で通信信号を送受信するためのインターフェース回路である。Ｓ側通信インタフェース部１３は、Ｓ側中央処理部１１からのデータからこのネットワーク４０の通信プロトコルに従った通信信号を生成すると共にネットワーク４０からの通信信号をＳ側中央処理部１１が処理可能な形式のデータに変換する。
【００１９】
Ｓ側記憶部１２は、各種プログラム及び各種プログラムの実行中に生じるデータ等の各種情報を記憶する。注目すべきは、Ｓ側記憶部１２は、監視情報閲覧システム２におけるページのＨＴＭＬファイルに用いられた画像データを作成するための元となった原図データを記憶する記憶領域を備えることである。Ｓ側記憶部１２は、図２（Ｂ）のメモリマップに示すように、この原図データを記憶する原図データ記憶領域１２１と、監視情報閲覧システム２の各ページのＨＴＭＬファイルを記憶するＨＴＭＬデータ記憶領域１２２と、基本データファイルを記憶する基本データ領域１２３と、プログラムファイルを記憶するプログラムデータ領域１２４と、機器の監視情報を記憶する監視データ記憶領域１２５とを備えて構成される。Ｓ側記憶部１２は、例えば、Ｓ側中央処理部１１の所謂ワーキングメモリとなるＲＡＭ（Random Access Memory）等の揮発性の記憶素子、及び、上述の各記憶領域１２１〜１２５が設けられる書換え可能なＥＥＰＲＯＭ（Electrically Erasable Programmable Read Only Memory）等の不揮発性の記憶素子を備えて構成される。
【００２０】
ここで、原図データは、データサイズを小さくして少ない記憶容量の記憶領域で記憶可能とする観点から圧縮することが好ましく、本実施形態では、原図データは、ページファイル作成装置２０によって圧縮され、ページファイル作成装置２から監視情報ウェブサーバ１０へネットワーク４０を介して転送される。このデータを圧縮する圧縮方法は、例えば、ＬＺＨやＺＩＰ等がある。
【００２１】
Ｓ側中央処理部１１は、例えば、マイクロプロセッサ及びその周辺回路等を備えて構成され、機能的に、サーバ側データ送受信部（以下、「Ｓ側データ送受信部」と略記する。）１１１と、ウェブサーバ１１２と、原図データ保管部１１３と、監視情報処理部１１４とを備え、制御プログラムに従いＳ側記憶部１２及びＳ側通信インタフェース部１３を当該機能に応じてそれぞれ制御する。
【００２２】
Ｓ側データ送受信部１１１は、Ｓ側通信インタフェース部１３を用いてネットワーク４０を介してページファイル作成装置２０、監視情報閲覧クライアント３０及び監視制御装置６０と通信信号を送受信する。
【００２３】
ウェブサーバ１１２は、閲覧するＨＴＭＬファイルの提供を要求する情報を監視情報閲覧クライアント３０から受信し、監視情報閲覧システム２の各ページのＨＴＭＬファイルからこの情報に対応するＨＴＭＬファイルをＨＴＴＰ（Hyper Text Transfer Protocol）で配信する。なお、セキュリティを強化する観点からＨＴＴＰの代わりにＨＴＴＰＳ（Hyper Text Transfer Protocol over SSL）を用いてもよい。
【００２４】
原図データ保管部１１３は、ページファイル作成装置２０からネットワーク４０を介して原図データを受信した場合に、この受信した原図データをＳ側記憶部１２に記憶し、原図データを記憶した記憶領域を原図データ記憶領域１２１として維持し管理する。
【００２５】
監視情報処理部１１４は、監視制御装置６０からネットワーク４０を介して機器の監視情報を収集し、この収集した監視情報をＳ側記憶部１２に記憶する。
【００２６】
図１に戻って、ページファイル作成装置２０は、原図を電子化した原図データから現場の模式図の画像データを作成し、現場の模式図の画像データを含み監視情報を示すための監視ページのＨＴＭＬファイル（監視ページＨＴＭＬファイル）、監視情報を提供するホームページ（トップページ）（監視情報提供ホームページ）のＨＴＭＬファイル（監視情報提供ホームページＨＴＭＬファイル）、監視情報閲覧クライアント３０の各種設定を行うための設定ページのＨＴＭＬファイル（設定ページＨＴＭＬファイル）及びネットワーク４０の各種設定を行うための管理ページのＨＴＭＬファイル（管理ページＨＴＭＬファイル）等を備えて構成される監視情報閲覧システム２の各ページのＨＴＭＬファイルを作成すると共に、原図データを圧縮し、この圧縮した原図データ（原図圧縮データ）をネットワーク４０を介して監視情報ウェブサーバ１０に転送するための装置である。
【００２７】
原図は、機器７０が配置される現場の状況を表す図であり、例えば、建物及びフロア等の設計図面等である。ＨＴＭＬファイルは、ウェブブラウザによって表示可能となるようにＨＴＭＬ（Hyper Text Markup Language）やＸＭＬ（Extensible Markup Language）等を用いて作成されたページのファイルである。ＨＴＭＬは、ウェブページを記述するためのマークアップ言語であり、概略的には、＜＞で囲んだタグと呼ばれる命令を用いて文章の構造を指示し、“開始タグ”、“内容”、“終了タグ”からなるエレメントの入れ子構造でＨＴＭＬファイルを構成する。ＸＭＬは、ＨＴＭＬと同様にウェブページを記述するためのマークアップ言語であるが、ＨＴＭＬのように固定のタグだけでなく、ユーザが定義したタグを用いることができる。
【００２８】
ページファイル作成装置２０は、例えば、図３に示すように、作成装置側中央処理部（以下、「Ｐ側中央処理部」と略記する。）２１、作成装置側通信インタフェース部（以下、「Ｐ側通信インタフェース部」と略記する。）２２、入力部２３、表示部２４、作成装置側記憶部（以下、「Ｐ側記憶装置」と略記する。）２５、外部記憶部２６及びバス２７を備えて構成される。
【００２９】
Ｐ側通信インターフェース部２２は、ネットワーク４０に接続され、ネットワーク４０を介して監視情報ウェブサーバ１０との間で通信信号を送受信するための機器である。Ｐ側通信インタフェース部２２は、Ｐ側中央処理部２１からのデータからこのネットワーク４０の通信プロトコルに従った通信信号を生成すると共にネットワーク４０からの通信信号をＰ側中央処理部２１が処理可能な形式のデータに変換する。
【００３０】
入力部２３は、本ページファイル作成装置２０の動作指示等の各種コマンド及びＨＴＭＬファイルを作成するために必要なデータ等の各種データをページファイル作成装置２０に入力する機器であり、例えば、キーボードやマウスやイメージスキャナ等である。表示部２４は、入力部２３から入力されたコマンド、データ及び本ページファイル作成装置２０で作成したＨＴＭＬファイル等を表示する機器であり、例えばＣＲＴディスプレイ、ＬＣＤ、有機ＥＬディスプレイ又はプラズマディスプレイ等の表示装置である。
【００３１】
Ｐ側記憶部２５は、各種プログラム及び各種プログラムの実行中に生じるデータ等の各種情報を記憶する。Ｐ側記憶部２５は、例えば、Ｐ側中央処理部２１の所謂ワーキングメモリとなるＲＡＭ等の揮発性の記憶素子、及び、ＲＯＭ（Read Only Memory）や書換え可能なＥＥＰＲＯＭ等の不揮発性の記憶素子を備えて構成される。
【００３２】
外部記憶部２６は、例えば、フレキシブルディスク、ＣＤ−ＲＯＭ（Compact Disc Read Only Memory）、ＣＤ−Ｒ（Compact Disc Recordable）及びＤＶＤ−Ｒ（Digital Versatile Disc Recordable）等の記録媒体との間でデータを読み込み及び／又は書き込みを行う装置であり、例えば、フレキシブルディスクドライブ、ＣＤ−ＲＯＭドライブ、ＣＤ−Ｒドライブ及びＤＶＤ−Ｒドライブ等である。
【００３３】
Ｐ側中央処理部２１は、例えば、マイクロプロセッサ及びその周辺回路等を備えて構成され、機能的に、作成装置側データ送受信部（以下、「Ｐ側データ送受信部」と略記する。）２１１と、ページファイル作成部２１２と、原図データ圧縮解凍部２１３とを備え、制御プログラムに従いＰ側通信インタフェース部２２、入力部２３、表示部２４、Ｐ側記憶部２５及び外部記憶部２６を当該機能に応じてそれぞれ制御する。
【００３４】
Ｐ側データ送受信部２１１は、Ｐ側通信インタフェース部２２を用いてネットワーク４０を介して監視情報ウェブサーバ１０と通信信号を送受信する。
【００３５】
ページファイル作成部２１２は、原図データから現場の模式図の画像データを作成すると共に、監視情報閲覧システム２の各ページのＨＴＭＬファイルを作成する。
【００３６】
原図データ圧縮解凍部２１３は、原図データを圧縮して原図圧縮データを生成すると共に、圧縮原図データを伸長して原図データに解凍する。
【００３７】
これらＰ側中央処理部２１、Ｐ側通信インタフェース部２２、入力部２３、表示部２４、Ｐ側記憶部２５及び外部記憶部２６は、データを相互に交換することができるようにバス２７にそれぞれ接続される。
【００３８】
次に、本実施形態の動作について説明する。
（実施形態の動作）
図４は、ページファイル作成装置の動作を示すフローチャートである。図５は、監視情報ウェブサーバの動作を示すフローチャートである。
【００３９】
図４において、監視情報閲覧システム２の各ページのＨＴＭＬファイルを作成する作成者は、監視ページに使用する現場の模式図の画面データを原図データから作成すべく、入力部２３からコマンドやデータを入力する。入力部２３からこれらコマンドやデータが入力されると、Ｐ側中央処理部２１のページファイル作成部２１２は、これらコマンドやデータに従って原図データから画像データを作成する（Ｓ１１）。
【００４０】
そして、作成者は、監視情報閲覧システム２における各ページのＨＴＭＬファイルを作成すべく、入力部２３からコマンドやデータを入力する。入力部からこれらコマンドやデータが入力されると、Ｐ側中央処理部２１のページファイル作成部２１２は、監視情報閲覧システム２における各ページのＨＴＭＬファイルを作成する。監視情報閲覧システム２における各ページのＨＴＭＬファイルが完成すると、作成者は、この各ページのＨＴＭＬファイルを監視情報ウェブサーバ１０に転送すべく、入力部２３からコマンドを入力する。入力部２３からこのコマンドが入力されると、Ｐ側中央処理部２１のデータ送受信部２１１は、監視情報閲覧システム２における各ページのＨＴＭＬファイルを監視情報ウェブサーバ１０に転送する（Ｓ１２）。
【００４１】
次に、Ｐ側中央処理部２１の原図データ圧縮解凍部２１３は、この転送した監視情報閲覧システム２における各ページのＨＴＭＬファイルに用いられた画像データを作成するための元となった原図データを圧縮して原図圧縮データを生成する（Ｓ１３）。そして、Ｐ側中央処理部２１のデータ送受信部２１１は、処理Ｓ１２で監視情報閲覧システム２における各ページのＨＴＭＬファイルを転送した監視情報ウェブサーバ１０にこの原図圧縮データを転送する（Ｓ１４）。
【００４２】
一方、図５において、監視情報ウェブサーバ１０では、ページファイル作成装置２０から監視情報閲覧システム２における各ページのＨＴＭＬファイルを受信すると（Ｓ２１）、Ｓ側中央処理部１１は、この受信した監視情報閲覧システム２における各ページのＨＴＭＬファイルをＳ側記憶部１２に記憶し、保存する（Ｓ２２）。
【００４３】
そして、ページファイル作成装置２０から原図圧縮データを受信すると（Ｓ２３）、Ｓ側中央処理部１１の原図データ保管部１１２は、この受信した原図圧縮データをＳ側記憶部１２に記憶し、保存すると共に、原図圧縮データを記憶した記憶領域を原図データ記憶領域１２１として維持し管理する（Ｓ２４）。
【００４４】
このように本実施形態に係るページファイル作成システム１では、ページファイル作成装置２０は、監視情報閲覧システム２における各ページのＨＴＭＬファイルを監視情報ウェブサーバ１０に転送すると同時に、この監視情報閲覧システム２における各ページのＨＴＭＬファイルに用いられた画像データを作成するための元となった原図データを圧縮して原図圧縮データを監視情報ウェブサーバ１０に転送する。そして、監視情報ウェブサーバ１０は、転送された、監視情報閲覧システム２における各ページのＨＴＭＬファイル及び原図圧縮データをＳ側記憶部１２に記憶する。このため、原図圧縮データ、つまり原図データを紛失してしまうことがない。
【００４５】
ここで、ページファイル作成装置２０に複数の監視情報ウェブサーバ１０に対する監視情報閲覧システム２における各ページのＨＴＭＬファイル及び原図データが存在する場合もある。このような場合には、ページファイル作成装置２０において、例えば、監視情報ウェブサーバ１０を識別し特定する識別子（サーバＩＤ）、監視情報閲覧システム２における各ページのＨＴＭＬファイルを識別し特定する識別子（ファイルＩＤ）、及び、原図データ（又は原図圧縮データ）を識別し特定する識別子（原図ＩＤ）をそれぞれ監視情報ウェブサーバ１０、監視情報閲覧システム２における各ページのＨＴＭＬファイル及び原図データ（又は原図圧縮データ）に割り当てて、ファイルＩＤとサーバＩＤの対応関係及び原図ＩＤとサーバＩＤとの対応関係が少なくとも分かるように、これらサーバＩＤ、ファイルＩＤ及び原図ＩＤを相互に対応付けるように構成すればよい。
【００４６】
このように構成することによって、上述したように、監視情報閲覧システム２における各ページのＨＴＭＬファイルを監視情報ウェブサーバ１０に転送すると同時に、この監視情報閲覧システム２における各ページのＨＴＭＬファイルに係る原図圧縮データを監視情報ウェブサーバ１０に転送する必要が必ずしもない。そのため、この監視情報閲覧システム２における各ページのＨＴＭＬファイルに係る原図圧縮データの転送をマニュアル操作で行うことも可能である。
【００４７】
図６は、画像データ及び原図データの操作を指示する操作画面を示す模式図である。図６において、画像データ及び原図データの操作を指示する操作画面１３０は、ツールバーと編集画面とを備えて構成され、ツールバーは、ファイル操作を指示するコマンド群をプルダウンメニューで表示するための「ファイル」１３１と、原図データを編集する操作を指示するコマンド群をプルダウンメニューで表示するための「原図編集」１３２と、ツール群をプルダウンメニューで表示するための「ツール」１３３とを備えて構成される。ツール群のプルダウンメニューは、原図データから画像データを生成する指示を入力するための「生成（原図データから）」コマンドと、ＨＴＭＬファイルを監視情報ウェブサーバ１０に転送する指示を入力するための「転送（ウェブサーバへ）」コマンドとを備える画像データコマンド群１３３１、及び、原図データを圧縮する指示を入力するための「圧縮ファイルの生成（原図データから）」コマンドと、原図圧縮データを監視情報ウェブサーバ１０に転送する指示を入力するための「圧縮ファイルの送信（ウェブサーバへ）」コマンドと、原図圧縮データを監視情報ウェブサーバ１０から読み込む指示を入力するための「圧縮ファイルの受信（ウェブサーバから）」コマンドと、原図圧縮データを展開（伸長）して解凍する指示を入力するための「圧縮ファイルの展開（原図データへ）」コマンドとを備える原図データコマンド群１３３２からなる。
【００４８】
作成者が「生成（原図データから）」コマンドを操作すると、ページファイル作成装置２０のＰ側中央処理部２１におけるページファイル作成部２１２は、原図データから現場の模式図の画像データを生成する。そして、作成者が「転送（ウェブサーバへ）」コマンドを操作すると、ページファイル作成装置２０のＰ側中央処理部２１におけるＰ側データ送受信部２１１は、送信すべき監視情報閲覧システム２における各ページのＨＴＭＬファイルに付与されたファイルＩＤに対応するサーバＩＤの監視情報ウェブサーバ１０に監視情報閲覧システム２における各ページのＨＴＭＬファイルを送信する。
【００４９】
作成者が「圧縮ファイルの生成（原図データから）」コマンドを操作すると、ページファイル作成装置２０のＰ側中央処理部２１における原図データ圧縮解凍２１３は、原図データを圧縮する。作成者が「圧縮ファイルの送信（ウェブサーバへ）」コマンドを操作すると、ページファイル作成装置２０のＰ側中央処理部２１におけるＰ側データ送受信部２１１は、送信すべき原図圧縮データに付与された原図ＩＤに対応するサーバＩＤの監視情報ウェブサーバ１０に原図圧縮データを送信する。作成者が「圧縮ファイルの受信（ウェブサーバから）」コマンドを操作すると、ページファイル作成装置２０のＰ側中央処理部２１におけるＰ側データ送受信部２１１は、受信すべき原図圧縮データに付与された原図ＩＤに対応するサーバＩＤの監視情報ウェブサーバ１０から原図圧縮データを受信する。そして、作成者が「圧縮ファイルの展開（原図データへ）」コマンドを操作すると、ページファイル作成装置２０のＰ側中央処理部２１における原図データ圧縮解凍２１３は、原図圧縮データを展開して解凍する。
【００５０】
このように構成されたページファイル作成システム１では、ページファイル作成装置２０は、監視情報閲覧システム２における各ページのＨＴＭＬファイルを転送した監視情報ウェブサーバ１０に、この監視情報閲覧システム２における各ページのＨＴＭＬファイルに用いられた画像データを作成するための元となった原図圧縮データも転送することができる。そして、監視情報ウェブサーバ１０は、転送された、監視情報閲覧システム２における各ページのＨＴＭＬファイル及び原図圧縮データをＳ側記憶部１２に記憶する。このため、原図圧縮データ、つまり原図データを紛失してしまうことがない。
【００５１】
そして、上述の実施形態では、監視情報ウェブサーバ１０、ページファイル作成装置２０、監視情報閲覧クライアント３０及び監視制御装置６０は、ネットワーク４０を介して相互に通信可能に接続されたが、監視情報ウェブサーバ１０とページファイル作成装置２０とを相互に通信可能に接続するネットワーク、監視情報ウェブサーバ１０と監視情報閲覧クライアント３０とを相互に通信可能に接続するネットワーク、及び、監視情報ウェブサーバ１０と監視制御装置６０とを相互に通信可能に接続するネットワークは、個別のネットワークでもよい。
【００５２】
また、上述の実施形態では、監視情報ウェブサーバ１０と監視制御装置６０とを別体で構成したが、監視情報ウェブサーバ１０を監視制御装置６０に組み込んで監視情報ウェブサーバ１０と監視制御装置６０とを一体に構成してもよい。このように監視情報ウェブサーバ１０が監視制御装置６０に組み込まれる場合には、監視制御装置６０は、分電盤等のスペースに余裕のない場所に配置されるため、小型化が必要であり、Ｓ側記憶部１２に大容量の記憶素子を採用することが難しい。原図データは、本実施形態では圧縮されるので、原図データ記憶領域１２１の小容量化が図れ、好適である。
【図面の簡単な説明】
【００５３】
【図１】実施形態におけるページファイル作成システムの構成、監視制御システムの構成及び監視情報閲覧システムの構成を示す図である。
【図２】実施形態における監視情報ウェブサーバの構成及びメモリマップを示す図である。
【図３】実施形態におけるページファイル作成装置の構成を示すブロック図である。
【図４】ページファイル作成装置の動作を示すフローチャートである。
【図５】監視情報ウェブサーバの動作を示すフローチャートである。
【図６】画像データ及び原図データの操作を指示する操作画面を示す模式図である。
【図７】背景技術におけるページファイル作成システムの構成、監視制御システムの構成及び監視情報閲覧システムの構成を示す図である。
【符号の説明】
【００５４】
１、１００１  ページファイル作成システム
１０、１０１０  監視情報ウェブサーバ
２０、１０２０  ページファイル作成装置
４０  ネットワーク
１１  サーバ側中央処理部
１２  サーバ側記憶部
１３  サーバ側通信インタフェース部
１１１  サーバ側データ送受信部
１１２  ウェブサーバ
１１３  原図データ保管部
１１４  監視情報処理部
１２１  原図データ記憶領域
２１  作成装置側中央処理部
２２  作成装置側通信インタフェース部
２３  入力部
２４  表示部
２５  作成装置側記憶部
２６  外部記憶部
２１１  作成装置側データ送受信部
２１２  ページファイル作成部
２１３  原図データ圧縮解凍部
【図１】
2006092406.tif 000003
【図２】
2006092406.tif 000004
【図３】
2006092406.tif 000005
【図４】
2006092406.tif 000006
【図５】
2006092406.tif 000007
【図６】
2006092406.tif 000008
【図７】
2006092406.tif 000009